(57)【要約】【課題】キャッシュカードに記憶された生体情報が盗み出されることを防止し、またＡＴＭの生体認証用プログラムのバージョンアップ処理を簡単に行えるようにして不正な預金引出の防止ができるようにしたＡＴＭおよびＡＴＭによる生体認証方法を提供する。【解決手段】  ＣＰＵとメモリを有するＩＣ媒体が取り外し可能に備えられ、前記メモリには、生体認証用プログラムが記憶されているＡＴＭと、ＩＣカードに記憶されている生体情報を暗号化させてＡＴＭで読み取らせ、ＡＴＭの利用者の身体から生体情報を読み取り、ＡＴＭに取り外し可能に備えられたＩＣ媒体に、前記２つの生体情報を送信し、ＩＣ媒体内において、暗号化されている生体情報を復号し、ＩＣ媒体内において、復号した生体情報と、利用者の身体から読み取られた生体情報とを比較照合し、前記比較照合の結果に基づく正当性判定情報をＩＣ媒体からＡＴＭに送信する。【選択図】        図２
2007108895.tif 000002
【特許請求の範囲】
【請求項１】
キャッシュカードを利用して金融取引処理を行うＡＴＭ（現金自動支払機）であって、
前記ＡＴＭは、ＣＰＵとメモリを有するＩＣ媒体が取り外し可能に備えられ、
前記メモリには、生体認証用プログラムが記憶されていることを特徴とするＡＴＭ。
【請求項２】
前記生体認証用プログラムが、ＡＴＭの利用者が所持するＩＣカードから読み取られた暗号化された生体情報を復号した後に、人物身体から直接読み取られた生体情報と比較照合して、その比較照合の結果により正当性の判定処理を行うものであることを特徴とする請求項１記載のＡＴＭ。
【請求項３】
ＡＴＭの利用者の正当性を判定するＡＴＭによる生体認証方法であって、
前記利用者のＩＣカードのメモリに記憶されている生体情報を暗号化させた後に前記ＡＴＭで読み取ると共に、前記ＡＴＭの利用者の身体から生体情報を読み取るステップと、
前記ＡＴＭに取り外し可能に備えられたＩＣ媒体に、前記２つの生体情報を送信するステップと、
前記ＩＣ媒体内において、暗号化されている生体情報を復号するステップと、
前記ＩＣ媒体内において、復号した生体情報と、利用者の身体から読み取られた生体情報とを比較照合するステップと、
前記比較照合の結果に基づく正当性判定情報を、前記ＩＣ媒体から前記ＡＴＭに送信するステップと、
からなることを特徴とするＡＴＭによる生体認証方法。
【発明の詳細な説明】
【技術分野】
【０００１】
本発明は、キャッシュカードを利用して金融取引処理を行うＡＴＭ（Automatic Tellers  Machine）、所謂、現金自動支払機と、人間の身体の一部を利用して利用者の正当性に対する認証処理を行うＡＴＭによる生体認証方法に関する。
【背景技術】
【０００２】
従来、金融機関などが設置したＡＴＭを利用して金融取引を行う利用者について、その正当性を認証する方法として、暗証番号や生体情報などを用いて比較照合する方法が既に知られている。
特に、身体の一部などが保有する生体情報を照合する方法は、利用者の生体情報として例えば、指紋、静脈、声紋、虹彩などの固有情報を利用するので、暗証番号のように第三者に盗まれる心配もなく、セキュリティー性に優れているという長所がある。
【０００３】
生体情報を利用した従来技術としては、予めＩＣカードに記憶させた利用者の指紋情報と、ＡＴＭを利用する利用者の身体から直接読み取った指紋情報とを、ＡＴＭ内で照合処理して、本人認証を行うＡＴＭにおける指紋照合システムが知られている。（例えば、特許文献１参照）
この指紋照合システムにおいては、指紋照合処理をＡＴＭのＣＰＵにおいて実行したり、または指紋スキャナあるいは指紋スキャナ処理部において指紋照合処理を実行するように構成されている。
【特許文献１】特開２００１−６７５２３号公報
【０００４】
しかしながら、上記の従来技術の本人認証処理を行うシステムでは、ＩＣカードが第三者に盗まれた場合に、ＩＣカードに記憶されている指紋情報を読み出すことができるので、読み出した指紋情報に基づいて同様の指紋を備えた指形を作成して不正な預金引き出しが行なわれる危険性がある。
更に、生体認証用プログラムである指紋照合処理用プログラムがＡＴＭに組み込まれているので、簡単に変更することができないことから、長期間に渡って同じシステム処理が実施されることとなり、これにより、犯罪者にそれらの処理方法を研究されて処理方法が解析されて、他人の口座から不正に預金の引き出しが行われるなどの不正行為が行われてしまうというセキュリティー上の危険性がある。
このようなことから、単純にＩＣカードに指紋情報を記憶させたり、また長期間に渡って同じシステム処理を実施することは、セキュリティー上、問題がある。
【０００５】
また、犯罪者に処理方法を研究されたとしても、ＡＴＭ内に搭載されている生体認証用プログラムを変更するなどすれば、犯罪行為を回避することも可能であるが、通常ＡＴＭは多数設置されており、それらのＡＴＭ内に搭載されている生体認証用プログラムをバージョンアップするためには手間や時間がかかり、簡単に新しいプログラムに移行できないという問題がある。
【発明の開示】
【発明が解決しようとする課題】
【０００６】
そこで、本発明は、キャッシュカードであるＩＣカードに記憶された生体情報が不正に盗み出されることを防止することができ、また生体認証処理を行うＡＴＭにおいて、従来に比べ時間や手間をかけることなく簡単に生体認証用プログラムの変更などのバージョンアップの処理を行えるようにすることで、犯罪者が、他人の口座から不正に預金の引き出しを行うことを防止できるようにしたＡＴＭおよびＡＴＭによる生体認証方法を提供する。
【課題を解決するための手段】
【０００７】
本発明のＡＴＭは、キャッシュカードを利用して金融取引処理を行うＡＴＭ（現金自動支払機）であって、前記ＡＴＭは、ＣＰＵとメモリを有するＩＣ媒体が取り外し可能に備えられ、前記メモリには、生体認証用プログラムが記憶されていることを特徴とする。
【０００８】
また、本発明のＡＴＭは、前記生体認証用プログラムが、ＡＴＭの利用者が所持するＩＣカードから読み取られた暗号化された生体情報を復号した後に、人物身体から直接読み取られた生体情報と比較照合して、その比較照合の結果により正当性の判定処理を行うものであることを特徴とする。
【０００９】
また、本発明のＡＴＭによる生体認証方法は、ＡＴＭの利用者の正当性を判定するＡＴＭによる生体認証方法であって、ＩＣカードのメモリに記憶されている生体情報を暗号化させて、前記ＡＴＭで読み取らせるステップと、前記ＡＴＭの利用者の身体から生体情報を読み取るステップと、前記ＡＴＭに取り外し可能に備えられたＩＣ媒体に、前記２つの生体情報を送信するステップと、前記ＩＣ媒体内において、暗号化されている生体情報を復号するステップと、前記ＩＣ媒体内において、復号した生体情報と、利用者の身体から読み取られた生体情報とを比較照合するステップと、前記比較照合の結果に基づく正当性判定情報を、前記ＩＣ媒体から前記ＡＴＭに送信するステップと、からなることを特徴とする。
【発明の効果】
【００１０】
本発明のＡＴＭは、生体認証用プログラムが記憶されているメモリを有するＩＣ媒体が、ＡＴＭに取り外し可能に備えられているので、生体認証用プログラムの変更などのバージョンアップ処理を行いたい場合でも、ＡＴＭに備えられたＩＣ媒体を取り外し、新たな生体認証用プログラムが記憶されているＩＣ媒体と簡単に取り替えることが可能で、短時間で手間をかけることなく効率的にバージョンアップの処理が行え、犯罪者が、他人の口座から不正に預金の引き出しを行うことを防止できるという効果がある。
【００１１】
また、本発明のＡＴＭは、前記生体認証用プログラムが、ＡＴＭの利用者が所持するＩＣカードのメモリから読み取られた暗号化された生体情報を復号し、人物身体から直接読み取られた生体情報と比較照合して、その比較照合の結果により正当性の判定を行うプログラムを有しているので、キャッシュカードであるＩＣカードに記憶された生体情報が不正に盗み出されたとしても、その生体情報が暗号化されているので、犯罪者が、他人の口座から不正に預金の引き出しを行うことを防止することができるという効果がある。
【００１２】
更に、本発明のＡＴＭによる生体認証方法は、キャッシュカードであるＩＣカードに記憶された生体情報が不正に盗み出されたとしても、その生体情報が暗号化されているので、犯罪者が、他人の口座から不正に預金の引き出しを行うことを防止することができ、更に、ＡＴＭに備えられたＩＣ媒体を取り外し、新たな生体認証用プログラムが記憶されているＩＣ媒体と簡単に取り替えることが可能で、短時間で手間をかけることなく効率的にバージョンアップの処理が行え、犯罪者が、他人の口座から不正に預金の引き出しを行うことを防止できるという効果がある。
【発明を実施するための最良の形態】
【００１３】
以下、本発明の実施形態に係るＡＴＭおよびＡＴＭによる生体認証方法について、図面に基づいて詳細に説明する。
図１は、本発明の実施形態に係るＡＴＭの構成の概要を説明する図、図２は、本発明の実施形態に係るＡＴＭによる生体認証方法の概要を説明する図、図３は、本発明の実施形態に係るＡＴＭによる生体認証方法の処理手順を説明するフローチャート図である。
【００１４】
本発明の実施形態に係るＡＴＭ１の外側部分には、利用者２が所持するキャッシュカードであるＩＣカード３を挿入するカード挿入部５、表示部６、入力部７、静脈パターン読取部８、現金取扱部９などが設けられ、利用者２がカード挿入部５からキャッシュカードであるＩＣカード３を挿入して、所定の操作を行うことで金融取引の処理を行うことができる機能を有している。
また、ＡＴＭ１の内部には、ＣＰＵとメモリを有するタンパ性の高いＩＣ媒体４が取り外し可能に備えられており、必要に応じてＩＣ媒体４を取り外して交換できるようにしてある。
但し、このＩＣ媒体４は、正当な権限を有さない者によって、不正に取り外されて盗まれないように、施錠された状態でＡＴＭ１の内部に取り付けられ設けられている。
【００１５】
キャッシュカードであるＩＣカード３のメモリには、予め利用者の静脈パターン情報からなる生体情報が記憶され、ＡＴＭ１がこの生体情報を読み取る際には、ＩＣカード３内において生体情報を暗号化された状態で読み取られるようになっている。
また、ＩＣ媒体４のメモリには、生体認証用プログラムが記憶されている。
この生体認証用プログラムは、ＡＴＭ１の利用者が所持するＩＣカード３のメモリから読み取られた暗号化された生体情報を復号し、ＡＴＭ１で利用者の身体から直接読み取られた生体情報と比較照合して、その比較照合の結果により正当性の判定認証処理が行われるようにプログラムされている。
【００１６】
ＩＣ媒体４内において、生体情報に基づく利用者に関する正当性の判定認証処理が行われるが、その正当性の判定認証処理の結果である正当性判定認証情報が、ＩＣ媒体４からＡＴＭ１に送信されることで、その利用者がＡＴＭ１を利用できる場合と、利用できない場合とに分かれる。
【００１７】
次に、本発明のＡＴＭによる生体認証方法を、図２及び図３に基づいて説明する。
ここでは、生体情報の一例として静脈パターン情報を用いた場合について説明する。
利用者が、ＡＴＭ１のカード挿入部５からキャッシュカードであるＩＣカード３を挿入する。（ステップ１）
ＡＴＭ１が、キャッシュカードであるＩＣカード３に記憶されている生体情報である静脈パターン情報を読み取る際に、ＩＣカード３のメモリに記憶されている静脈パターン情報を暗号化させて、ＡＴＭ１に送信する。（ステップ２）
【００１８】
次に、利用者２は、静脈パターン読取部８に手のひらを置いて静脈パターン情報を読み取らせる。（ステップ３）
そして、ＡＴＭ１は、キャッシュカードであるＩＣカード３から読み取った暗号化された静脈パターン情報と、静脈パターン読取部８から読み取った静脈パターン情報からなる生体情報とを、ＡＴＭ１に取り外し可能に備えられたＩＣ媒体４に送信する。（ステップ４）
【００１９】
次に、ＩＣ媒体４内において、暗号化されている静脈パターン情報を復号する。（ステップ５）
更に、ＩＣ媒体４内において、復号した生体情報と、利用者の身体から読み取られた生体情報とを比較照合する。（ステップ６）
そして、この比較照合の結果、照合一致した場合には、正当性判定情報として、ＡＴＭ１での取引処理を許可する信号をＩＣ媒体４からＡＴＭ１に送信する。（ステップ７）
また、この比較照合の結果、照合不一致した場合には、正当性判定情報として、ＡＴＭ１での取引処理を不許可とする信号をＩＣ媒体４からＡＴＭ１に送信する。（ステップ８）
【００２０】
以上の処理により、ＡＴＭ１の利用者が、そのキャッシュカードであるＩＣカード３を用いて金融取引を行う正当性を有しているか否かの判定を行い、正当性を有していると判定された場合にだけＡＴＭ１を利用できるようにしてある。
上記の事例では、生体情報の一例として静脈パターン情報を用いた静脈認証について説明したが、本発明は、これに限らず、指紋、声紋、虹彩など種々の生体情報を用いることができるものである。
【００２１】
また、ＡＴＭに取り外し可能に備えられている、ＣＰＵとメモリを有するＩＣ媒体は、例えば、カード形状、スティック形状など種々の形状の媒体を用いることができる。
また、ＩＣ媒体をＡＴＭに取り外し可能に備えられるためには、種々の方法があり、特に限定されるものではない。
【図面の簡単な説明】
【００２２】
【図１】本発明の実施形態に係るＡＴＭの構成の概要を説明する図である。
【図２】本発明の実施形態に係るＡＴＭによる生体認証方法の概要を説明する図である。
【図３】本発明の実施形態に係るＡＴＭによる生体認証方法の処理手順を説明するフローチャート図である。
【符号の説明】
【００２３】
１  ＡＴＭ
２  利用者
３  ＩＣカードからなるキャッシュカード
４  ＩＣ媒体
５  カード挿入部
６  表示部
７  入力部
８  静脈パターン読取部
９  現金取扱部
【図１】
2007108895.tif 000003
【図２】
2007108895.tif 000004
【図３】
2007108895.tif 000005